(57)【要約】      （修正有）【課題】確実に液密状態を得ることができ、かつ容易に電子体温計の状態切り替えができ、更に容易に切り替えた状態を継続することが可能な電子体温計を提供する。【解決手段】動作制御を行うための電子回路３０が収容された筐体１１を備える電子体温計１０であって、電子回路３０に電気的に接続された互いに離隔して配置された一対の電極端子２１と、一対の電極端子２１のそれぞれの一部が配置される収容部２２と、収容部２２内に移動可能に収容され、少なくとも一方の電極端子２１と接触して電子回路３０へ供給される電流を変化させて電子回路３０の動作状態を第１の状態から第２の状態へ切り替える切り替え部２３と、切り替え部２３が一対の電極端子２１の少なくとも一方と接触して配置される第１の位置で切り替え部２３を保持可能な第１の保持部２４と、第１の位置から離隔された第２の位置で切り替え部２３を保持可能な第２の保持部２５と、を有する。【選択図】図１
2014115248.tif 000002
【特許請求の範囲】
【請求項１】
動作制御を行うための電子回路が収容された筐体を備える電子体温計であって、
前記筐体の内部に配置され、前記電子回路に電気的に接続されるとともに互いに離隔して配置された一対の電極端子と、
前記一対の電極端子のそれぞれの少なくとも一部が配置される収容部と、
前記収容部内に移動可能に収容され、少なくとも一方の前記電極端子と接触することにより前記電子回路へ供給される電流を変化させて前記電子回路の動作状態を第１の状態から第２の状態へ切り替える切り替え部と、
前記切り替え部が前記一対の電極端子の少なくとも一方と接触して配置される第１の位置において前記切り替え部を保持可能な第１の保持部と、
前記第１の位置から離隔された第２の位置において前記切り替え部を保持可能な第２の保持部と、を有する電子体温計。
【請求項２】
前記収容部内における前記切り替え部の移動をガイドするガイド部をさらに有する請求項１に記載の電子体温計。
【請求項３】
前記ガイド部は、前記第１の保持部と前記第２の保持部とを連結する連結部材を有しており、
前記切り替え部には前記連結部材が挿通されるガイド孔が設けられる、請求項２に記載の電子体温計。
【請求項４】
前記切り替え部は、凹部および凸部の少なくとも一方によって構成される第１係合部を有し、
前記ガイド部は、前記筐体に形成され、かつ、前記第１係合部に係合自在な第２係合部を有する請求項２または請求項３に記載の電子体温計。
【請求項５】
前記切り替え部は、磁性を有しており、
前記第１の保持部および前記第２の保持部は、磁力によって前記切り替え部を保持する磁石を有する請求項１〜４のいずれか１項に記載の電子体温計。
【請求項６】
前記第１の保持部および前記第２の保持部は、前記切り替え部の接触に伴い前記切り替え部が取り付け可能に構成された取り付け部材を有する請求項１〜５のいずれか１項に記載の電子体温計。
【請求項７】
前記取り付け部材は、粘着テープ、面ファスナー、およびゲルのうちの少なくとも一つを有する請求項６に記載の電子体温計。
【請求項８】
前記筐体は、前記収容部が外部から視認可能に構成されており、
前記収容部は、前記第１の位置から前記第２の位置へ伸びる移動経路と、前記移動経路から分岐された少なくとも一つの分岐路とを有する請求項１に記載の電子体温計。
【請求項９】
前記第１の状態は、前記一対の電極端子同士を通電させることにより前記電子体温計の電源をＯＮにする通電状態であり、
前記第２の状態は、前記一対の電極端子同士の通電を遮断することにより前記電子体温計の電源をＯＦＦにする非通電状態である請求項１〜８のいずれか１項に記載の電子体温計。
【発明の詳細な説明】
【技術分野】
【０００１】
本発明は、被検者の体温を測定する電子体温計に関する。
【背景技術】
【０００２】
従来より、被検者の体温を測定する電子体温計として、サーミスタを用いて温度計測値を取得する電子体温計が知られている。従来の電子体温計は、一般的にその先端に配置され、被検者に接触するサーミスタを内蔵する金属製キャップと、電子体温計の尾部に配置される手動式の電源ＯＮ／ＯＦＦスイッチと、電子体温計の本体を形成する筐体と、筐体の中央部に設けられた測定結果を表示する表示部と、筐体内部に設けられた電子回路とから構成される。
【０００３】
ところで、従来の電子体温計には、手動式の電源ＯＮ／ＯＦＦスイッチと筐体との間にスイッチが筐体内へ押し込まれる又は筐体内から引き出されるための隙間がある。一般的に、電子体温計は、アルコール液、消毒液、水等の液体を用いて除菌又は洗浄されている。このため、従来の電子体温計では、除菌又は洗浄の際に上記隙間に液体が入り込んで電子回路がショートし、故障してしまう場合があった。このため、手動式の電源ＯＮ／ＯＦＦスイッチのない電子体温計の開発が望まれていた。
【０００４】
手動式のスイッチを用いずに電源ＯＮ／ＯＦＦのように状態を切り替えるためには、電子体温計の筐体内に、例えば特許文献に記載されているような「状態検知スイッチ」を配置する構成が考えられる。この状態検知スイッチは、傾斜した容器に水銀を収納するとともに、一方に一対の電極を設けて構成されており、アイロン本体の把手部の内部に配置されている。上記アイロンでは、アイロン作業時には、往復運動によって上記一対の電極が水銀により断続的にＯＮ、ＯＦＦされ、水平静止状態では連続ＯＦＦ、自立状態では連続ＯＮになる。
【先行技術文献】
【特許文献】
【０００５】
【特許文献１】特開平８−２４５００号公報
【発明の概要】
【発明が解決しようとする課題】
【０００６】
しかしながら、上記状態検知スイッチが連続的にアイロンの電源をＯＮにするには、上記アイロンは、上記自立状態に保たれる必要がある。このため、上記状態検知スイッチを組み込んだ電子体温計では、被検者は電子体温計を電源ＯＮになる傾きに保ちながら検温しなければならず、使い勝手が悪いという問題がある。従って、手動式の状態切り替えスイッチを設けていない電子体温計であって、容易に状態の切り替えができ、かつ容易に切り替えた状態を継続することが可能な電子体温計が求められている。
【０００７】
本発明は上記課題に鑑みてなされたものであり、手動式の状態切り替えスイッチを設けていない電子体温計であって、確実に液密状態を得ることができ、かつ容易に電子体温計の状態の切り替えができ、更に容易に切り替えた状態を継続することが可能な電子体温計を提供することを目的とする。
【課題を解決するための手段】
【０００８】
（１）動作制御を行うための電子回路が収容された筐体を備える電子体温計であって、前記筐体の内部に配置され、前記電子回路に電気的に接続されるとともに互いに離隔して配置された一対の電極端子と、前記一対の電極端子のそれぞれの少なくとも一部が配置される収容部と、前記収容部内に移動可能に収容され、少なくとも一方の前記電極端子と接触することにより前記電子回路へ供給される電流を変化させて前記電子回路の動作状態を第１の状態から第２の状態へ切り替える切り替え部と、前記切り替え部が前記一対の電極端子の少なくとも一方と接触して配置される第１の位置において前記切り替え部を保持可能な第１の保持部と、前記第１の位置から離隔された第２の位置において前記切り替え部を保持可能な第２の保持部と、を有する電子体温計。
【０００９】
（２）前記収容部内における前記切り替え部の移動をガイドするガイド部をさらに有する上記（１）に記載の電子体温計。
【００１０】
（３）前記ガイド部は、前記第１の保持部と前記第２の保持部とを連結する連結部材を有しており、前記切り替え部には前記連結部材が挿通されるガイド孔が設けられる、上記（２）に記載の電子体温計。
【００１１】
（４）前記切り替え部は、凹部および凸部の少なくとも一方によって構成される第１係合部を有し、前記ガイド部は、前記筐体に形成され、かつ、前記第１係合部に係合自在な第２係合部を有する上記（２）または上記（３）に記載の電子体温計。
【００１２】
（５）前記切り替え部は、磁性を有しており、前記第１の保持部および前記第２の保持部は、磁力によって前記切り替え部を保持する磁石を有する上記（１）〜（４）のいずれか１つに記載の電子体温計。
【００１３】
（６）前記第１の保持部および前記第２の保持部は、前記切り替え部の接触に伴い前記切り替え部が取り付け可能に構成された取り付け部材を有する上記（１）〜（５）のいずれか１つに記載の電子体温計。
【００１４】
（７）前記取り付け部材は、粘着テープ、面ファスナー、およびゲルのうちの少なくとも一つを有する上記（６）に記載の電子体温計。
【００１５】
（８）前記筐体は、前記収容部が外部から視認可能に構成されており、前記収容部は、前記第１の位置から前記第２の位置へ伸びる移動経路と、前記移動経路から分岐された少なくとも一つの分岐路とを有する上記（１）に記載の電子体温計。
【００１６】
（９）前記第１の状態は、前記一対の電極端子同士を通電させることにより前記電子体温計の電源をＯＮにする通電状態であり、前記第２の状態は、前記一対の電極端子同士の通電を遮断することにより前記電子体温計の電源をＯＦＦにする非通電状態である上記（１）〜（８）のいずれか１つに記載の電子体温計。
【発明の効果】
【００１７】
上記（１）記載の本発明の電子体温計によれば、電子体温計の筐体の内部に電子回路の動作状態を第１の状態から第２の状態へ切り替える切り替え部と、少なくとも一方の上記電極端子と接触して配置される第１の位置において上記切り替え部を保持可能な第１の保持部と、上記第１の位置から離隔された第２の位置において上記切り替え部を保持可能な第２の保持部と、を備えるので、手動式の第１の状態／第２の状態の切り替えスイッチを設けていない電子体温計であっても、確実に液密状態を得ることができ、かつ容易に電子体温計を第１の状態または第２の状態に切り替えでき、更に容易に切り替えた第１の状態または第２の状態を継続することができる。
【００１８】
また、上記（２）記載の本発明の電子体温計によれば、上記収容部内における上記切り替え部の移動をガイドするガイド部を備えることにより、上記切り替え部を確実に上記第１の位置から上記第２の位置へ、上記第２の位置から上記第１の位置へ移動させることができる。
【００１９】
また、上記（３）記載の本発明の電子体温計によれば、上記第１の保持部と上記第２の保持部とを連結する連結部材が、上記切り替え部に設けられたガイド孔に挿通されることで、上記収容部内における上記第１の保持部および上記第２の保持部間での切り替え部の移動が定まり、切り替え部を確実に上記第１の保持部および上記第２の保持部に接触させることができる。
【００２０】
また、上記（４）記載の本発明の電子体温計によれば、上記連結部材を用いることなく、上記切り替え部材および上記筐体に互いに係合し合う上記各係合部を設けることで、切り替え部材の移動が定まり、切り替え部を確実に上記第１の保持部および上記第２の保持部に接触させることができる。
【００２１】
また、上記（５）記載の本発明の電子体温計によれば、上記第１の保持部および上記第２の保持部は磁石を有するので、上記磁性を有する切り替え部を磁力によって確実に保持することができる。
【００２２】
また、上記（６）記載の本発明の電子体温計によれば、上記第１の保持部および上記第２の保持部は上記切り替え部が取り付け可能に構成された簡易な構成により、上記取り付け部材を保持することができる。
【００２３】
また、上記（７）記載の本発明の電子体温計によれば、上記取り付け部材は粘着テープ、面ファスナー、およびゲルのうち少なくとも一つを有するので、上記切り替え部を確実に保持することができる。
【００２４】
また、上記（８）記載の本発明の電子体温計によれば、被検者は、目視により上記少なくとも一つの分岐路を有する移動経路に沿って移動する上記切り替え部の位置を確認できる。したがって、被検者は、本発明の電子体温計を体温を計測するためだけでなく、切り替え部を第１の位置と第２の位置間で移動させる遊戯として用いることができる。
【００２５】
また、上記（９）記載の本発明の電子体温計によれば、上記一対の電極端子を通電させることにより電子体温計の電源をＯＮにすることができ、上記一対の電極端子の通電を遮断することにより電子体温計の電源をＯＦＦにすることができる。したがって、手動式の電源ＯＮ／ＯＦＦスイッチを設けていない電子体温計であっても、容易に電源ＯＮまたは電源ＯＦＦの切り替えができ、かつ容易に切り替えた電源ＯＮまたは電源ＯＦＦの状態を継続することができ、更に確実に液密状態を得ることができる。
【図面の簡単な説明】
【００２６】
【図１】第１実施形態に係る電子体温計の全体構成を示す図であり、図１（Ａ）は、電子体温計の斜視図、図１（Ｂ）は、電子体温計の側面図である。
【図２】第１実施形態に係る電子体温計の状態切り替え構成を示す図であり、図２（Ａ）は、第１の状態に切り替えた場合を示す図、図２（Ｂ）は、第２の状態に切り替えた場合を示す図である。
【図３】第１実施形態に係る電子体温計の制御構成を示すブロック図である。
【図４】第１実施形態に係る電子体温計の変形例１の構成を示す図である。
【図５】第１実施形態に係る電子体温計の変形例２の構成を示す図であり、図５（Ａ）は、切り替え部に凸部によって構成される第１係合部を設けた場合を示す図、図５（Ｂ）は、切り替え部に凹部によって構成される第１係合部を設けた場合を示す図である。
【図６】第１実施形態に係る電子体温計の変形例３の構成を示す図である。
【図７】第１実施形態に係る電子体温計の変形例４の構成を示す図である。
【図８】第１実施形態に係る電子体温計の変形例５の構成を示す図である。
【図９】第２実施形態に係る電子体温計の構成を示す図であり、図９（Ａ）は、１つの切り替え部を設けた場合の移動経路の一例を示す図であり、図９（Ｂ）は、複数の切り替え部を設けた場合の移動経路の一例を示す図である。
【発明を実施するための形態】
【００２７】
以下、図面を参照しつつ、本発明の実施形態に基づいて説明する。図面の説明において同一の要素には同一の符号を付し、重複する説明を省略する。図面の寸法比率は、説明の都合上誇張されており、実際の比率とは異なる場合がある。
【００２８】
＜第１実施形態＞
図１は、本発明の第１実施形態にかかる電子体温計の全体構成を示す図であり、（Ａ）は、斜視図、そして（Ｂ）は側面図である。先ず、電子体温計１０の全体構成について説明を行う。
【００２９】
＜１．電子体温計１０の全体構成＞
電子体温計１０は、図１に示すように、動作制御を行うための電子回路３０（図３を参照）が収容された筐体１１と、その先端に配置され、被検者に接触するサーミスタを内蔵する金属製のキャップから構成される温度計測部１２と、測定結果を表示する表示部１３と、測定が終了したことを通知する音声出力部１４とを有する。
【００３０】
電子体温計１０は、図１（Ａ）に示すように、一般的な電子体温計である。この電子体温計１０は、例えばテルモＥＴ−Ｃ２０５Ｓと同じ寸法である。温度計測部１２の先端から筐体１１の後端までを含む長手方向の長さ寸法ａは、例えば１２９ｍｍである。そして、短手方向の長さ寸法ｂは、例えば１７．６ｍｍである。また、図１（Ｂ）に示すように、筐体１１の厚さ寸法ｃは、例えば１２．６ｍｍである。更に、電子体温計１０の重さは、例えば約１５〜２１ｇ（一対の電極電子２１の重さは約１ｇ、切り替え部２３の重さは約１〜３ｇ、第１の保持部２４の重さは約１ｇ、第２の保持部２５の重さは約１ｇ）である。
【００３１】
筐体１１は、耐衝撃性の熱可塑性樹脂、例えばブチレン、スチレン樹脂で形成されている。この筐体１１の先端に位置する温度計測部１２は、筐体１１と接着剤で接着されている。これにより、温度計測部１２と筐体１１の境界は、液密に保たれている。
【００３２】
表示部１３は、液晶表示器であり、被検者の体温を表示する。ここで、表示部１３は、液晶表示器に限らず、例えば耐衝撃性と耐薬品性を有し、透明の熱可塑性樹脂で形成された窓部材で覆われていればよい。また、この窓部材は、表示部１３と筐体１１との境界を液密に保つために液密性を有している。
【００３３】
音声出力部１４は、スピーカであり、後述する制御部４０（図３を参照）における処理に基づいて、音声を出力する。尚、音声出力部１４は、音声出力ではなく、単にブザー等で体温計測終了等を通知するものとしてもよい。
【００３４】
図２は、第１実施形態に係る電子体温計１０の状態切り替え構成を示す図であり、図２（Ａ）は、第１の状態に切り替えた場合を示す図、図２（Ｂ）は、第２の状態に切り替えた場合を示す図である。次に、本発明の特徴となる電子体温計１０の状態切り替え構成について説明する。
【００３５】
＜２．電子体温計１０の状態切り替え構成＞
電子体温計１０は、図１、図２に示すように、動作制御を行うための電子回路３０が収容された筐体１１の内部に配置され、電子回路３０に電気的に接続されるとともに互いに離隔して配置された一対の電極端子２１と、一対の電極端子２１のそれぞれの少なくとも一部が配置される収容部２２と、収容部２２内に移動可能に収容され、一対の電極端子２１のそれぞれと接触することにより電子回路３０へ供給される電流を変化させて電子回路３０の動作状態を第１の状態から第２の状態へ切り替える切り替え部２３と、切り替え部２３が一対の電極端子２１のそれぞれと接触して配置される第１の位置において切り替え部２３を保持可能な第１の保持部２４と、第１の位置から離隔された第２の位置において切り替え部２３を保持可能な第２の保持部２５と、を有する。
【００３６】
一対の電極端子２１は、例えば金属や高分子等の導電性部材から構成され、第１の保持部２４の近傍に配置されている。そして、一対の電極端子２１は、板状の形状に構成され、第１保持部２４側に向かうにつれ端子間の距離が短くなるように配置されている（図２を参照）。このように一対の電極端子２１を配置することにより、容易に切り替え部２３が第１の保持部２４へ移動することができ、不容易に第１の保持部２４で保持されている切り替え部２３が移動することを防止できる。また、一対の電極端子２１は、図２に示すように、電子回路３０に繋がっている電線２６を有している。本実施形態では、この一対の電極端子２１は、板状の形状に構成されているとして説明するが、これに限ることなく、切り替え部２３と接触することにより通電するならば、例えば球等のような他の形状でもよい。
【００３７】
収容部２２は、筐体１１の内部に形成されており、切り替え部２３を上記第１の位置と第２の位置の間を移動させるための空間である。この収容部２２の厚さ寸法ｄ（図１（Ｂ）を参照）は、切り替え部２３が収容部２２内を移動可能な寸法に形成されており、例えば８．２〜９ｍｍである。
【００３８】
切り替え部２３は、例えば磁性を有する鉄の材質から構成される球（鉄球）であり、収容部２２内の第１の位置と第２の位置の間を移動することができる。鉄球の切り替え部２３が第１の位置に移動して一対の電極端子２１と接触すると、鉄球が導電性を有しているので、一対の電極端子２１は、通電する。鉄球の切り替え部２３の直径寸法ｅは、電子体温計１０の外形が上記寸法である場合、例えば８ｍｍである。鉄球の切り替え部２３は、直径寸法ｅが８ｍｍである場合、鉄の密度が７．８７４ｇ／ｃｍ３なので、体積は０．２６８ｃｍ３（＝４／３×π×０．４３）であり、重さは２．１１０ｇ（＝０．２８６×７．８７４）である。本実施形態では、切り替え部２３は、球状に形成されているとして説明するが、これに限ることなく、収容部２２内を移動可能であればよく、例えば角に丸みを持たせた直方体であってもよい。また、本実施形態では、切り替え部２３は、鉄の材質で構成されているとして説明するが、これに限ることなく、導電性を有する部材であればよく、例えば鉄以外の金属や高分子等であってもよい。
【００３９】
ここで、切り替え部２３が切り替える電子回路３０の第１の状態と第２の状態について説明を行う。第１の状態は、一対の電極端子２１同士を通電させることにより電子体温計１０の電源をＯＮにする通電状態であり、第２の状態は、一対の電極端子２１同士の通電を遮断することにより電子体温計１０の電源をＯＦＦにする非通電状態である。なお、図２（Ａ）は、一対の電極端子２１が切り替え部２３に接触しているため通電状態であることを示している。また、図２（Ｂ）は、一対の電極端子２１が切り替え部２３と非接触であるため非通電状態であることを示している。本実施形態では、第１の状態を通電状態、第２の状態を非通電状態として説明するが、これに限ることなく、例えば電子体温計１０を通常モードにするために電子回路３０へ供給される電流が大きい状態を第１の状態、電子体温計１０を省エネモード（エコモード）にするために電子回路３０へ供給される電流が小さい状態を第２の状態とする場合にも適用できる。ここで、通常モードとは、例えば電子体温計１０の表示部１３の図示しないバックライトを光らせる状態であり、省エネモードとは、例えばバックライトを光らせない状態を示す。
【００４０】
第１の保持部２４および第２の保持部２５は、磁石で構成されており、鉄球の切り替え部２３を磁力によって保持する。ここで、上記鉄球の切り替え部２３が重力によって受ける力は、２．１１０×１０−３×９．８１＝２．０７０×１０−２Ｎである。従って、第１の保持部２４および第２の保持部２５における磁力が、上記鉄球の切り替え部２３の重力（２．０７０×１０−２Ｎ）より大きい場合、鉄球の切り替え部２３は、第１の保持部２４または第２の保持部２５に保持されたまま移動しない。このため、第１の保持部２４および第２の保持部２５を構成する磁石は、被検者が電子体温計１０で体温を計測中、即ち電子体温計１０が大きな振動を受けない状態において、上記鉄球の切り替え部２３を保持することが可能な磁力を有する。本実施形態では、第１の保持部２４および第２の保持部２５は、磁石から構成されると説明したが、これに限ることなく、例えば粘着テープ、ゲル等の材質で構成されてもよい。この第１の保持部２４および第２の保持部２５の接着強度は、被検者が電子体温計１０を軽く振るといずれか一方の保持部で保持している切り替え部２３が剥がれる程度であればよい。
【００４１】
図３は、第１実施形態に係る電子体温計１０の制御構成を示すブロック図である。次に、電子体温計１０の制御構成について、図３を用いて説明する。
【００４２】
＜３．電子体温計１０の制御構成＞
電子体温計１０は、電子体温計１０全体の動作を制御する制御部４０を有する。制御部４０は、温度計測部１２から出力される温度に比例した時間分のＯＮ信号に基づいて各種処理を行い、被検者の体温を演算すると共に電子体温計１０全体の動作を制御する演算処理部４１と、表示部１３に表示される内容を制御する表示制御部４２と、電源部１、演算処理部４１、表示制御部４２のそれぞれを制御する電子回路３０とから構成されている。電源部１は、電子体温計１０の各部へ電流を供給する。
【００４３】
被検者が電子体温計１０を用いて体温を測定するために、電子体温計１０を軽く振って一対の電極端子２１に切り替え部２３が接触して一対の電極端子２１が通電すると、電源部１からの電流が電子回路３０に供給される。これにより、電子体温計１０は電源ＯＮ状態（第１の状態）になり、温度計測部１２では、被検者の体温の検出が可能となる。
【００４４】
演算処理部４１は、温度計測部１２より出力されるディジタル信号のＯＮ時間を計測するタイマ４３を備える。
【００４５】
また、演算処理部４１は、ＲＯＭ４４に格納されたプログラムを実行することで、タイマ４３により計測された時間に基づいて温度データを算出し、算出された温度データを時系列でＲＡＭ４５に記憶し、算出された温度データの時間変化に基づいて被検体の体温を予測演算する。また、ＥＥＰＲＯＭ４６には所定の音声データが格納されており、演算処理部４１は、この音声データを用いて音声出力部１４より音声データの出力を行う。なお、電源部１は、ボタン型のアルカリ電池が好ましく用いられる。
【００４６】
演算処理部４１が被検者の体温の予測演算が終えると、表示部１３には、予測演算の結果（測定結果）が表示される。このとき、音声出力部１４からは、測定が終了したことを被検者に通知するための音声またはブザーが出力される。
【００４７】
被検者が電子体温計１０における体温測定を終えるために、電子体温計１０を軽く振って一対の電極端子２１から切り替え部２３が離隔して一対の電極端子２１が非通電になると、電源部１から電子回路３０に供給されていた電流が遮断される。これにより、電子体温計１０は電源ＯＦＦ状態（第２の状態）になる。
【００４８】
本実施形態に係る電子体温計１０の作用について説明する。
【００４９】
上述したように、電子体温計１０によれば、電子体温計１０の筐体１１の内部に電子回路３０の動作状態を第１の状態（電源ＯＮ）から第２の状態（電源ＯＦＦ）へ切り替える切り替え部２３と、一対の電極端子２１と接触して配置される第１の位置において切り替え部２３を保持可能な第１の保持部２４と、第１の位置から離隔された第２の位置において切り替え部２３を保持可能な第２の保持部２５とを備えることができる。したがって、手動式の第１の状態／第２の状態の切り替えスイッチを設けていない電子体温計１０であっても、確実に液密状態を得ることができ、かつ容易に電子体温計１０を第１の状態または第２の状態に切り替えでき、更に容易に切り替えた第１の状態または第２の状態を継続することができる。
【００５０】
また、上述したように、電子体温計１０によれば、第１の保持部２４および第２の保持部２５が磁石を有するので、磁性を有する鉄球の切り替え部２３を磁力によって確実に保持することができる。
【００５１】
＜変形例１＞
図４は、第１実施形態に係る電子体温計１０の変形例１の構成を示す図である。上述した第１実施形態と同一の部材には同一の符号を付して説明を省略する。
【００５２】
変形例１の電子体温計１１０は、第１実施形態の電子体温計１０と異なり、図４に示すように、収容部２２内における切り替え部１２３の移動をガイドするガイド部５０を更に備える。
【００５３】
ガイド部５０は、第１の保持部２４と第２の保持部２５とを連結する連結部材５１を有しており、切り替え部１２３には連結部材５１が挿通されるガイド孔１２３１が設けられる。
【００５４】
連結部材５１は、棒状の部材であり、切り替え部１２３のガイド孔１２３１に挿通されており、部材の両端がそれぞれ第１の保持部２４と、第２の保持部２５とに連結されている。
【００５５】
切り替え部１２３は、ガイド孔１２３１に挿通された連結部材５１にガイドされながら、第１の保持部２４と第２の保持部２５の間を移動することができる。
【００５６】
変形例１の電子体温計１１０によれば、収容部２２内における切り替え部１２３の移動をガイドするガイド部５０を備えることにより、切り替え部１２３を確実に上記第１の位置から上記第２の位置へ、上記第２の位置から上記第１の位置へ移動させることができる。
【００５７】
また、電子体温計１１０によれば、第１の保持部２４と第２の保持部２５とを連結する連結部材５１が、切り替え部１２３に設けられたガイド孔１２３１に挿通されるので、収容部２２内での切り替え部１２３の第１の位置と第２の位置間の移動が定まり、切り替え部１２３を確実に第１の保持部２４および第２の保持部２５に接触させることができる。
【００５８】
＜変形例２＞
図５は、第１実施形態に係る電子体温計１０の変形例２の構成を示す図であり、図５（Ａ）は、切り替え部２２３に凸部によって構成される第１係合部２２３１を設けた場合を示す図、図５（Ｂ）は、切り替え部２２３ａに凹部によって構成される第１係合部２２３２を設けた場合を示す図である。上述した第１実施形態と同一の部材には同一の符号を付して説明を省略する。
【００５９】
変形例２の電子体温計２１０（２１０ａ）は、第１実施形態の電子体温計１０と異なり、図５に示すように、収容部２２２（２２２ａ）内における切り替え部２２３（２２３ａ）の移動をガイドするガイド部６０（６０ａ）を更に備える。
【００６０】
切り替え部２２３（２２３ａ）は、図５に示すように、凹部および凸部の少なくとも一方によって構成される第１係合部２２３１（２２３２）を有し、ガイド部６０（６０ａ）は、筐体２１１（２１１ａ）に形成され、かつ、第１係合部２２３１（２２３２）に係合自在な第２係合部２１１１（２１１２）を有する。
【００６１】
図５（Ａ）に示すように、切り替え部２２３が１つの凸部によって構成される第１係合部２２３１を有する場合、ガイド部６０は、筐体２１１に形成され、かつ凸部によって構成される第１係合部２２３１に係合自在な凹部によって構成される第２係合部２１１１を有する。
【００６２】
切り替え部２２３は、凸部によって構成される第１係合部２２３１において、筐体２１１に形成される凹部によって構成される第２係合部２１１１と係合し合いながら第１の位置と第２の位置間を移動することができる。
【００６３】
一方、図５（Ｂ）に示すように、切り替え部２２３ａが１つの凹部によって構成される第１係合部２２３２を有する場合、ガイド部６０ａは、筐体２１１ａに形成され、かつ凹部によって構成される第１係合部２２３２に係合自在な凸部によって構成される第２係合部２１１２を有する。
【００６４】
切り替え部２２３ａは、凹部によって構成される第１係合部２２３２において、筐体２１１ａに形成される凸部によって構成される第２係合部２１１２と係合し合いながら第１の位置と第２の位置間を移動することができる。
【００６５】
変形例２の電子体温計２１０（２１０ａ）によれば、切り替え部２２３（２２３ａ）および筐体２１１（２１１ａ）に互いに係合し合う上記各係合部を設けることで、収容部２２内での切り替え部２２３（２２３ａ）の第１の位置および第２の位置間の移動が定めることができる。したがって、電子体温計２１０（２１０ａ）によれば、変形例１のように連結部材５１を用いることなく、切り替え部２２３（２２３ａ）を確実に第１の保持部２４および第２の保持部２５に接触させることができる。
【００６６】
＜変形例３＞
図６は、第１実施形態に係る電子体温計１０の変形例３の構成を示す図である。上述した第１実施形態と同一の部材には同一の符号を付して説明を省略する。
【００６７】
変形例３の電子体温計３１０は、第１実施形態の電子体温計１０と異なり、図６に示すように、第１の保持部３２４および第２の保持部３２５が、切り替え部２３の接触に伴い切り替え部２３が取り付け可能に構成された接合部材７０、７１を有する。
【００６８】
接合部材７０は、図６に示すように、第１の保持部３２４と一体形成されており、Ｕ字型の形状で構成されている。この接合部材７０は、第１の保持部３２４と絶縁体で構成されている。そして、接合部材７０は、Ｕ字型の形状をしているので、切り替え部２３を受容するように保持する。また、接合部材７０には、一対の電極端子３２１が表面３２１１を剥き出しの状態で埋め込まれている。この一対の電極端子３２１は、図６に示すように、電子回路３０に繋がっている電線３２６を有している。
【００６９】
接合部材７１は、図６に示すように、第２の保持部３２５と一体形成されており、Ｕ字型の形状で構成されている。この接合部材７１は、第２の保持部３２５と同じ部材で構成されている。そして、接合部材７１は、Ｕ字型の形状をしているので、切り替え部２３を受容するように保持する。
【００７０】
変形例３の電子体温計３１０によれば、第１の保持部３２４および第２の保持部３２５は、切り替え部２３が取り付け可能に構成された簡易な構成の接合部材７０、７１により、切り替え部２３を保持することができる。
【００７１】
また、電子体温計３１０によれば、接合部材７０、７１は、Ｕ字型の形状をしているので、切り替え部２３を受容するように確実に保持することができる。
【００７２】
＜変形例４＞
図７は、第１実施形態に係る電子体温計１０の変形例４の構成を示す図である。上述した第１実施形態と同一の部材には同一の符号を付して説明を省略する。
【００７３】
変形例４の電子体温計４１０は、第１実施形態の電子体温計１０と異なり、第１の保持部４２４および第２の保持部４２５が、切り替え部４２３の接触に伴い切り替え部４２３が取り付け可能に構成された取り付け部材８０を有する。
【００７４】
取り付け部材８０は、面ファスナーを有している。切り替え部４２３は、第１の保持部４２４および第２の保持部４２５が有する各取り付け部材８０と接着するために、表面に面ファスナー４２３１を有する。切り替え部４２３の表面の面ファスナー４２３１は、図７に示すように、取り付け部材８０が有する面ファスナーに取り付けられるために、切り替え部４２３の表面の一部を覆っていればよい。
【００７５】
変形例４の電子体温計４１０によれば、第１の保持部４２４および第２の保持部４２５が備える各取り付け部材８０は面ファスナーを有するので、表面に面ファスナー４２３１を有する切り替え部４２３を確実に保持することができる。
【００７６】
＜変形例５＞
図８は、第１実施形態に係る電子体温計の変形例５の構成を示す図である。上述した第１実施形態と同一の部材には同一の符号を付して説明を省略する。
【００７７】
変形例５の電子体温計５１０は、第１実施形態の電子体温計１０と異なり、図８に示すように、一対の電極端子５２１を第１の保持部５２４に対し近接した位置で並行に、かつ各電極端子５２１ａ、５２１ｂを互い違いに近接して配置している。切り替え部５２３が一方の電極端子５２１ａ方向に移動して一方の電極端子５２１ａに接触すると、一方の電極端子５２１ａは、他方の電極端子５２１ｂ方向に押し出され、他方の電極端子５２１ｂに接触する。一方の電極端子５２１ａと他方の電極端子５２１ｂとが接触すると、一対の電極端子５２１は、通電する。また、一対の電極端子５２１は、図８に示すように、電子回路３０に繋がっている電線５２６を有している。
【００７８】
また、電子体温計５１０は、図８に示すように、Ｕ字型に構成された第１の保持部５２４を有する。上記したように、切り替え部５２３が一方の電極端子５２１ａに接触し、かつ一方の電極端子５２１ａが他方の電極端子５２１ｂに接触すると、Ｕ字型の第１保持部５２４の接触部分において、切り替え部５２３は、保持される。本実施形態では、第１の保持部５２４は、Ｕ字型の形状であるとして説明したが、これに限ることなく、一対の電極端子５２１が通電時に切り替え部５２３を保持することができる形状であればよい。
【００７９】
切り替え部５２３は、上述したように一方の電極端子５２１ａを押し出して他方の電極端子５２１ｂに接触させるために用いられるので、第１の実施形態の切り替え部２３と異なり、導電性を有する部材から構成されるものに限定されない。
【００８０】
変形例５の電子体温計５１０によれば、少なくとも一方の電極端子５２１ａを切り替え部５２３と接触させることにより、電子回路３０へ供給される電流を変化させて電子回路３０の動作状態を第２の状態（電源ＯＦＦ）から第１の状態（電源ＯＮ）へ切り替えることができる。
【００８１】
＜第２実施形態＞
図９は、第２実施形態に係る電子体温計６１０（６１０ａ）の構成を示す図であり、図９（Ａ）は、１つの切り替え部を設けた場合の移動経路の一例を示す図であり、図９（Ｂ）は、複数の切り替え部を設けた場合の移動経路の一例を示す図である。なお、第１実施形態において説明した部材と同様の部材には同一の符号を付して、その説明の一部を省略する。
【００８２】
先ず、１つの切り替え部２３を設けた電子体温計６１０の構成について、図９（Ａ）を用いて説明する。
【００８３】
電子体温計６１０の筐体６１１は、収容部６２２が外部から視認可能に構成されている。収容部６２２は、図９（Ａ）に示すように、第１の位置から前記第２の位置へ伸びる移動経路６２７と、移動経路６２７から分岐された分岐路６２８、６２９とを有する。
【００８４】
切り替え部２３は、移動経路６２７と、移動経路６２７から分岐された分岐路６２８、６２９に沿って移動する。収容部６２２が外部から視認可能であるため、電子体温計６１０のユーザは、目視により切り替え部２３の位置を確認しながら、切り替え部２３を移動経路６２７および分岐路６２８、６２９に沿って第１の位置および第２の位置間を移動させることができる。
【００８５】
一対の電極端子２１は、図９（Ａ）に示すように、移動経路６２７の第１の保持部２４側の出口６２７１近傍に配置されている。移動経路６２７の出口６２７１から放出された切り替え部２３が一対の電極端子２１と接触すると、一対の電極端子２１は、通電する。
【００８６】
次に、複数個の切り替え部６２３を設けた電子体温計６１０ａの構成について、図９（Ｂ）を用いて説明する。
【００８７】
電子体温計６１０ａの筐体６１１ａは、収容部６２２ａが外部から視認可能に構成されている。収容部６２２ａは、図９（Ｂ）に示すように、第１の位置から前記第２の位置へ伸びる移動経路６２７と、移動経路６２７から分岐された分岐路６３０とを有する。分岐路６３０は、第２の位置へ伸びている。
【００８８】
複数個の切り替え部６２３は、移動経路６２７と、移動経路６２７から分岐された分岐路６３０に沿って移動する。収容部６２２ａが外部から視認可能であるため、電子体温計６１０ａのユーザは、目視により複数個の切り替え部６２３の各位置を確認しながら、各切り替え部６２３を移動経路６２７および分岐路６３０に沿って第１の位置および第２の位置間を移動させることができる。本実施例では、図９（Ｂ）において、複数個の切り替え部６２３の一例として２つの切り替え部６２３を図示しているが、複数個とは２個に限ることなく、３個以上であってもよい。
【００８９】
一連の電極端子６２１は、図９（Ｂ）に示すように、移動経路６２７および分岐路６３０の第１の保持部２４側の各出口６２７１、６３０１近傍に配置されている。複数個の切り替え部６２３全てが一連の電極端子６２１と接触すると、一連の電極端子６２１は、通電する。即ち、全ての切り替え部６２３が一連の電極端子６２１と接触していない場合には、一連の電極端子６２１は、非通電である。また、一連の電極端子６２１は、図９に示すように、電子回路３０に繋がっている電線６２６を有している。
【００９０】
上述したように、電子体温計６１０によれば、筐体６１１が収容部６２２が外部から視認可能に構成されているので、被検者は、電子体温計６１０を体温を計測するためだけでなく、目視により確認しながら切り替え部２３を移動経路６２７および分岐路６２８、６２９に沿って第１の位置と第２の位置間で移動させ、電源ＯＮまたは電源ＯＦＦをするための遊戯として用いることができる。
【００９１】
また、電子体温計６１０ａによれば、複数の切り替え部６２３を用いて電源ＯＮ、電源ＯＦＦの切り替えを行う構成にすることで、遊戯としての難易度を上げることができる。したがって、被検者は、電子体温計６１０ａを用いて遊戯をより楽しむことができる。
【符号の説明】
【００９２】
１０、１１０、２１０、２１０ａ、３１０、４１０、５１０、６１０、６１０ａ  電子体温計、
１１、２１１、２１１ａ、６１１、６１１ａ  筐体、
２１、３２１、５２１  一対の電極端子、
２２、２２２、２２２ａ、６２２、６２２ａ  収容部、
２３、１２３、２２３、２２３ａ、４２３、５２３、６２３  切り替え部、
２４、３２４、４２４、５２４  第１の保持部、
２５  ３２５、４２５  第２の保持部、
２６、３２６、５２６、６２６  電線、
３０  電子回路、
４０  制御部、
５０  ガイド部、
５１  連結部材、
６０、６０ａ  ガイド部、
７０、７１  接合部材、
８０  取り付け部材、
６２１  一連の電極端子、
６２７  移動経路、
６２８、６２９、６３０  分岐路、
１２３１  ガイド孔、
２１１１、２１１２  第２係合部、
２２３１、２２３２  第１係合部、
３２１１  表面。
【図１】
2014115248.tif 000003
【図２】
2014115248.tif 000004
【図３】
2014115248.tif 000005
【図４】
2014115248.tif 000006
【図５】
2014115248.tif 000007
【図６】
2014115248.tif 000008
【図７】
2014115248.tif 000009
【図８】
2014115248.tif 000010
【図９】
2014115248.tif 000011